(57)【要約】【課題】  表示装置を有する遊技機において、表示装置における表示効果を高めるのに有効な遊技機の構築技術を提供する。【解決手段】  遊技盤面に表示装置１２０が設けられたパチンコ機において、透過式の液晶表示器１２１と、この液晶表示器１２１の後方に配置されて表示情報を描き替え表示可能な電子ペーパー表示器１２２とを用いて表示装置１２０を構成する。【選択図】      図２
2005168765.tif 000002
【特許請求の範囲】
【請求項１】
表示装置を有する遊技機であって、
表示装置は、透過型の表示器と、前記透過型の表示器の後方に配置されて表示情報を描き替え表示可能な電子ペーパー式表示手段を用いて構成されることを特徴とする遊技機。
【発明の詳細な説明】
【技術分野】
【０００１】
本発明は、表示装置を有する遊技機の構成に関する技術である。
【背景技術】
【０００２】
従来、パチンコ機やスロットマシン等のように、遊技盤面に表示手段を有する遊技機が知られている。例えば、遊技盤面に表示装置を有するパチンコ機が公知である（例えば、特許文献１参照。）。このパチンコ機は、表示装置の前方に液晶シャッターを設け、表示装置に表示される表示内容を液晶シャッターにより適宜遮へいすることによって、遊技の面白味を高めようとする構成を有するが、この種の遊技機では、表示装置の構成を種々工夫して遊技者の興趣を高めるために一層の技術的探求が要請される。
【特許文献１】特開平７−２８９７０６号公報
【発明の開示】
【発明が解決しようとする課題】
【０００３】
そこで、本発明は、かかる点に鑑みてなされたものであり、表示装置を有する遊技機において、表示装置における表示効果を高めるのに有効な遊技機を構築することを課題とする。
【課題を解決するための手段】
【０００４】
前記課題を解決するために、本発明が構成される。なお、本明細書でいう「遊技機」としては、パチンコ機、アレンジボール遊技機、スロットマシンなどが典型的なものである。
【０００５】
（請求項１に記載の発明）
請求項１に記載の遊技機は、少なくとも表示装置を備えている。
表示装置は、表示情報を表示する機能を有する装置であり、表示手段と当該表示手段における表示態様を制御する制御手段を主体に構成される。表示情報としては、所定の遊技条件が成立したことに起因して行われる抽選の結果に関与する抽選情報や、遊技演出として表示される背景用や装飾用の情報などがある。本発明では、この表示装置が、透過型の表示器と、電子ペーパー式表示手段を少なくとも用いて構成される。本発明の表示装置の典型的な構成としては、遊技盤の前面から後方へ向けて順に透過型の表示器、電子ペーパー式表示手段が各１つずつ配置された２層構造（階層数が２つ）のものがある。その他、透過型の表示器、及びその後方に配置される電子ペーパー式表示手の数、階層数等は必要に応じて種々変更可能である。また、必要に応じ、透過型の表示器及び電子ペーパー式表示手段に加えて、これら透過型の表示器や電子ペーパー式表示手段以外の表示器を、表示装置に適宜組み込むこともできる。
透過型の表示器は、図柄や演出などの画像を表示可能であるとともに、表示状態では表示部分以外の領域が、非表示状態では表示部分全体が素通しの状態となる表示媒体であり、透過型の表示器の後方は透視可能とされる。具体的には、光の透過、不透過を電気的にコントロールして表示する透過式の液晶表示器、あるいは、電流を流すことによって発光する材料であるＥＬ（エレクトロスミネッセンス）を用いた透過式のＥＬ表示器が、本発明における「透過型の表示器」の典型例である。
電子ペーパー式表示手段は、透過型の表示器の後方に配置されて表示情報を描き替え表示可能な機能を有する表示手段であり、典型的には既知の電子ペーパーを用いて構成される表示媒体である。この電子ペーパーに描き替えヘッドを作用させることによって、表示情報が描き替えられる。この電子ペーパーとしては、ツイスティングボール方式、マイクロカプセル型電気泳動方式、水平移動型電気泳動方式、電気析出溶解方式、光書き込み方式、可逆感熱方式、可逆感光方式、電子粉流体方式などが用いられる。このような電子ペーパーは、情報を描き替え表示可能であるという特徴や、柔軟性があるという特徴、また一旦描き込まれた情報を表示する際に表示状態を維持するための通電を必要としないという特徴を有する。なお、本発明の「電子ペーパー式表示手段」とは、電子ペーパーを用いた表示媒体の構成のみならず、電子ペーパーと同様の特徴を有する表示媒体をも含む主旨である。
本発明では、パチンコホールの照明や遊技機に設定された各種ランプ類の光が、電子ペーパー式表示手段の表示面に反射することによって、透過型の表示器及び電子ペーパー式表示手段に表示された表示情報が遊技者に視認可能となるが、透過型の表示器の後方にバックライトのような専用の照明手段を設け、当該表示情報がより鮮明となるように構成するのが好ましい。具体的には、透光性のないあるいは透光性の低い電子ペーパー式表示手段を用いる場合には、透過型の表示器と電子ペーパー式表示手段との間に照明手段を配置し、透光性の高い電子ペーパー式表示手段を用いる場合には、電子ペーパー式表示手段の後方に照明手段を配置することができる。
【０００６】
請求項１に記載の発明によれば、透過型の表示器の後方に電子ペーパー式表示手段を配置した表示装置とすることによって、透過型の表示器の表示情報と電子ペーパー式表示手段の表示情報とを重ね合わせた奥行きのある擬似立体的な表示を行うことができ、これにより当該表示装置における表示効果を高めることが可能となる。例えば透過型の表示器に表示される演出内容に応じて電子ペーパー式表示手段の表示情報を描き替えて変化させることができる。
【発明の目的及び効果】
【０００７】
以上のように、「表示装置を有する遊技機において、表示装置における表示効果を高めるのに有効な遊技機を構築する。」という目的に対し、
本発明によれば、「表示装置において透過型の表示器の後方に電子ペーパー式表示手段を配置するようにしたため、特に奥行き感のある擬似立体的な表示によって表示効果を高めることが可能とされる。」という効果を奏することとなる。
【発明を実施するための最良の形態】
【０００８】
以下に、本発明の「遊技機」の一実施の形態であるパチンコ機につき図面を参照しつつ詳細に説明する。ここで、図１には本発明における一実施の形態のパチンコ機１０１の遊技盤１０３の全体構成が示される。図２は図１中のＡ−Ａ線断面矢視図であって、表示装置１２０の断面構造を示す図である。また、図３には、表示装置１２０の概略構成を示す分解斜視図が示される。図４にはパチンコ機１０１の電装システムが示される。
【０００９】
図１に示すパチンコ機１０１は、いわゆる「第１種パチンコ機」と呼称される機種である。このパチンコ機１０１の遊技盤１０３の表面に形成された遊技領域１０５には、第１種始動口１１０、表示装置１２０、大入賞口（図示省略）を開閉する開閉部材１１２、通過口１１３、風車１１４、各種の一般入賞口１１５、多数の遊技釘１１６等が配置されている。第１種始動口１１０に遊技球（パチンコ球）が入賞し、第１種始動口１１０に入賞した遊技球（パチンコ球）が始動口センサ１４０によって検出されると、所定数の賞球が付与されるとともに、表示装置１２０は大当たりに関与する図柄や文字、背景等の変動を開始する。大当たりの場合は、表示装置１２０が大当たり図柄の配列を表示するとともに、開閉部材１１２が開閉動作される大当たり遊技状態となる。開閉部材１１２は、後述するソレノイド１６０によって開閉制御される。開閉部材１１２が開放された状態で大入賞口に入賞した遊技球は、大入賞口センサ１４４によって検出され。通過口１１３は、通過口センサ１４２を備え、当該通過口１１３に遊技球が通過したことが通過口センサ１４２によって検出される。風車１１４は、遊技球の流下経路を、例えば風車１１４の右側ないし左側へと変える機能を有する。一般入賞口１１５は、一般入賞口センサ１４６を備え、当該一般入賞口１１５に入賞した遊技球が一般入賞口センサ１４６によって検出されると、入賞した遊技球の個数にしたがって賞球を付与する。遊技釘１１６は、遊技球の流下態様（流下方向、流下時間等）に影響を与える釘であり、遊技盤１０３面の必要箇所に多数配置されている。
【００１０】
ここで、本実施の形態の表示装置１２０の構成を、図２及び図３を参照しながら詳細に説明する。なお、図２において、図中左側が表示装置１２０の前方を示し、図中上側が表示装置１２０の上方を示している。
【００１１】
図２及び図３に示すように、表示装置１２０は、遊技者に面するガラス板の後方側（図２中の右側）に配置されている。表示装置１２０は、表示ドライバ（駆動装置）１２０ａの前方に、透過式の液晶表示器（透明ＬＣＤパネル）１２１、電子ペーパー表示器１２２、バックライト（冷陰極管）１２５を備えている。表示装置１２０におけるこれら各構成部材の配置に関しては、前方側から順に、液晶表示器１２１、バックライト１２５、電子ペーパー表示器１２２、表示ドライバ１２０ａの順で配置されている。バックライト１２５は、照明機能を有するライト（後述する態様１における「照明手段」）であり、液晶表示器１２１の後方の左右に設けられている（図３参照）。本実施の形態では、液晶表示器１２１のパネル面の大きさと電子ペーパー１２３の表示面の大きさがほぼ同様であり、表示装置１２０を前方からみた場合、液晶表示器１２１のパネル面と電子ペーパー１２３の表示面が重なり合うように配置される。
このように、本実施の形態の表示装置１２０は、透過式の液晶表示器１２１と電子ペーパー表示器１２２とが組み合わせられた複合型の表示手段であり、本発明における「表示装置」に相当する。また、透過式の液晶表示器１２１が本発明における「透過型の表示器」や後述する態様５における「透過式の液晶表示器」に対応しており、電子ペーパー表示器１２２が本発明における「電子ペーパー式表示手段」に対応している。
【００１２】
表示ドライバ１２０ａは、図４において後述する表示制御部（表示制御基板）１６２を構成する。この表示ドライバ１２０ａを介して液晶表示器１２１が駆動制御される。
液晶表示器１２１は、光の透過、不透過を電気的にコントロールしてパネル面に種々の表示内容を表示する構成を有する。具体的には、後述する大当たり発生前後における大当たりに関与する図柄、文字、キャラクターなど、変化（動き）の大きい画像や演出が液晶表示器１２１のパネル面に表示されるようになっている。この液晶表示器１２１は、透過型の表示器であり、表示状態において当該液晶表示器１２１の後方（図２中の右側）に配置されたランプ類（ＬＥＤなど）による光がパネル面を後方から照らすことによって、遊技者はパネル面に表示された表示内容を視認可能となる。更に、液晶表示器１２１の後方に配置されたバックライト１２５が点灯されることによって、遊技者はパネル面に表示された表示内容をより鮮明に視認可能となる。一方、遊技者は、液晶表示器１２１において表示に使用されている領域以外の領域を透して、液晶表示器１２１の後方を透視可能となる。
【００１３】
電子ペーパー表示器１２２は、表示情報を描き替え可能な電子ペーパー１２３、この電子ペーパー１２３において表示情報を描き替える機能を有する描き替えヘッド１２４を主体として構成される。電子ペーパー１２３は、いわゆる「電子ペーパー」と称呼される既知の構成の表示手段であり、柔軟性を有する薄板状であるとともに、表示している表示情報を、描き替えヘッド１２４を介して新たな表示情報に描き替えて表示可能な表示手段である。このような構成の電子ペーパー１２３は、表示情報を描き替えることによって、表示可能な情報量が表示領域の大きさに依存することがなく、表示領域を無限大に使用するのに有効である。また、この電子ペーパー１２３は、表示情報の表示に必要な電力は、表示情報の描き替え時にのみ発生するという特徴を有する。従って、電子ペーパー１２３において次に表示情報の描き替えを行うまで通電することなく表示状態を維持することが可能となるため、表示中は常に通電が必要となる液晶表示器１２１のような電気式の表示器に比して省電力となる。また、このような構成の電子ペーパー１２３は、配線の取り回しが複雑化するのを抑えることが可能となる。
なお、本実施の形態で用いる電子ペーパー１２３としては、ツイスティングボール方式、マイクロカプセル型電気泳動方式、水平移動型電気泳動方式、電気析出溶解方式、光書き込み方式、可逆感熱方式、可逆感光方式、電子粉流体方式などの電子ペーパーを用いることができる。
【００１４】
特に、本実施の形態の電子ペーパー１２３は、透光性の少ない構成になっており、バックライト１２５からの光を当該電子ペーパー１２３表面に反射させた反射光によって、当該電子ペーパー１２３及び液晶表示器１２１の表示情報をライトアップする機能を有する。電子ペーパー１２３に表示された表示情報は、液晶表示器１２１において表示に使用されている領域以外の領域を透して、遊技者に視認可能とされる。この電子ペーパー１２３に表示される表示情報としては、液晶表示器１２１に表示される表示情報よりも変化（動き）の少ない表示情報、具体的には背景図柄など付加的（補助的）な情報が用いられるようになっている。
【００１５】
次に、本実施の形態に係るパチンコ機１０１の電装システムを図４を参照しながら説明する。
図４に示すように、本実施の形態に係るパチンコ機１０１は、概略的に見て、ＡＣ電源に接続された電源装置１３０に中継基板１３２を介して接続された主制御装置１５０、および副制御装置１５２を主体として構成される。主制御装置１５０内には、特に図示しないもののＣＰＵ（中央演算処理装置）、メモリ、入力処理回路および出力処理回路が適宜設定されている。さらに主制御装置１５０には、始動口センサ１４０、通過口センサ１４２、大入賞口センサ１４４、一般入賞口センサ１４６が接続され、これら各センサ１４０，１４２，１４４，１４６からの検出信号が適宜入力される。主制御装置１５０には、ソレノイド１６０、賞球制御部１６５が接続され、また、副制御装置１５２を介して表示制御部１６２、音制御部１６３、ランプ制御部１６４がそれぞれ接続されている。
【００１６】
表示制御部１６２には、前記の液晶表示器１２１、電子ペーパー表示器１２２及びバックライト１２５等が接続されており、表示制御部１６２を介して伝達される制御信号にしたがって液晶表示器１２１における表示内容の制御、電子ペーパー表示器１２２における表示内容の制御、バックライト１２５の点灯態様の制御などが行われる。音制御部１６３には、スピーカー類が接続されており、音制御部１６３を介して伝達される制御信号にしたがってスピーカー類における音声出力状態が制御される。ランプ制御部１６４には、遊技盤１０３に配置される各種のランプ類が接続されており、ランプ制御部１６４を介して伝達される制御信号にしたがって各種のランプ類の点灯、点滅状態が制御される。賞球制御部１６５には、賞球の払出しを実行する賞球装置１６６が接続されており、主制御装置１６０から適宜賞球制御信号を受けて、賞球装置１６６における賞球の払い出し制御を適宜行う。さらに主制御装置１６０は、パチンコ機１０１を設置した遊技ホールに設けられたホールコンピュータ１７０に接続され、例えば大当たりの回数等といった遊技に関する営業情報を適宜出力する。
【００１７】
次に、本実施の形態に係る上記構成のパチンコ機１０１の作用を各図面を参照しながら説明する。ここでは、特に表示装置１２０の作用について説明する。
図１に示すパチンコ機１０１において、発射ハンドル装置（図示省略）によって遊技盤１０３表面の遊技領域１０５に射出された遊技球は、遊技釘によって流下態様を変えつつ遊技領域１０５を流下していく。遊技球が第１種始動口１１０に始動入賞し、当該遊技球が始動口センサ１４０によって検出されると大当たりに関する抽選が行われ、当該抽選結果に基づき液晶表示器１２１において大当たりに関与する図柄や文字、キャラクターなどの変動を開始する。大当たりの場合は、液晶表示器１２１に大当たり図柄配列が表示されるとともに、開閉部材１１２が開閉動作される大当たり遊技状態となる。反対に、はずれの場合には、液晶表示器１２１に、はずれ図柄配列が表示される。
【００１８】
このとき、液晶表示器１２１の表示中において、バックライト１２５からの直接光及び電子ペーパー１２３表面からの反射光により、透過式の液晶表示器１２１の表示情報がライトアップされる。また、バックライト１２５からの光によってライトアップされた電子ペーパー１２３の表示情報は、液晶表示器１２１を透して遊技者に視認されることとなる。この状態では、電子ペーパー１２３に表示されている表示情報が、液晶表示器１２１に表示されている表示情報に重ね合わせられ、全体として奥行きのある擬似立体的な表示が行われる。
【００１９】
なお、本実施の形態では、電子ペーパー１２３を極力透光性の少ない構成や、透光性のない構成とするのが好ましい。具体的には、透光性の少ない素材や透光性のない素材を選定して電子ペーパー１２３の構成に用いたり、表示面に白色状態を形成可能な構成の電子ペーパー１２３を用いる。これにより、電子ペーパー１２３表面におけるバックライト１２５からの光の反射率が高まり、当該電子ペーパー１２３及び液晶表示器１２１における表示情報のライトアップ効果が高まることとなる。
【００２０】
以上のように、本実施の形態によれば、透過式の液晶表示器１２１の後方に電子ペーパー表示器１２２を配置した表示装置１２０とすることによって、液晶表示器１２１の表示情報と電子ペーパー１２３の表示情報とを重ね合わせた奥行きのある擬似立体的な表示を行うことができ、これにより当該表示装置１２０における表示効果を高めることが可能となる。
また、本実施の形態の表示装置１２０を用いれば、本来液晶表示器１２１において表示する表示情報のうち変化（動き）の少ない表示情報の表示を電子ペーパー表示器１２２に分担させることができ、これにより液晶表示器１２１側の表示負荷を軽減させることが可能となる。
【００２１】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００２２】
上記実施の形態では、透過式の液晶表示器１２１と電子ペーパー表示器１２２とを組み合わせた複合型の表示装置１２０について記載したが、本発明では、液晶表示器１２１以外の別の透過型の表示器を電子ペーパー表示器１２２と組み合わせることが可能である。例えば、ＥＬ（エレクトロスミネッセンス）を用いた自発光式のＥＬ型表示器を、電子ペーパー表示器１２２と組み合わせることができる。
【００２３】
また、上記実施の形態の電子ペーパー１２３は、表示情報を常時表示する一方、あわせてバックライト１２５からの光を反射させる場合について記載したが、本発明では、通常時は表示情報を表示せずにバックライト１２５からの光を反射させるのみの構成とし、必要に応じて表示情報を一時的に表示するような構成としてもよい。
具体的には、通常時は電子ペーパー１２３の表示面を白色状態とし当該電子ペーパー１２３を反射板として機能させ、表示情報の表示を行うときにのみ表示態様を切り換えて電子ペーパー１２３を表示板として機能させる構成を用いることができる。
このような構成により、必要なときにのみ電子ペーパー１２３を表示状態に設定するという合理的な構成が実現されるとともに、電子ペーパー１２３が反射板から表示板へ切り換わったときの意外性によって演出効果を高めることが可能となる。
【００２４】
また、上記実施の形態では、遊技盤１０３の前面から後方へ向けて順に透過式の液晶表示器１２１、電子ペーパー表示器１２２が各１つずつ配置された２層構造（階層数が２つ）としたが、透過式の液晶表示器１２１や電子ペーパー表示器１２２の数、階層数等は必要に応じて種々変更可能である。
【００２５】
また、上記実施の形態では、透過式の液晶表示器１２１と電子ペーパー表示器１２２との間の両側方にバックライト１２５を配置する場合について記載したが、バックライト１２５のような照明手段の設置位置、設置数等は必要に応じて種々変更可能である。例えば、電子ペーパー表示器１２２の電子ペーパー１２３が透光性を有する場合には、電子ペーパー表示器１２２の後方にバックライトのような照明手段を配置し、電子ペーパー１２３をその後方からライトアップするように構成してもよい。その際、バックライト１２５に加えて別の照明手段を電子ペーパー表示器１２２の後方に配置してもよいし、あるいはバックライト１２５を照明手段として転用して電子ペーパー表示器１２２の後方に配置してもよい。
【００２６】
また、上記実施の形態では、電子ペーパー表示器１２２の電子ペーパー１２３を固定式としたが、電子ペーパー１２３がモータ等の駆動手段を介して駆動制御されるように構成してもよい。
【００２７】
また、上記実施の形態では、透光性の少ない電子ペーパー１２３を用いて電子ペーパー表示器１２２を構成したが、本発明では電子ペーパーの透光性の度合いについては適宜変更可能である。
【００２８】
また、上記実施の形態では、第１種パチンコ機であるパチンコ機１０１について記載したが、第２種パチンコ機や第３種パチンコ機の構成に本発明を適用することもできる。また、パチンコ機以外の遊技機、例えばスロットマシンの構成に本発明を適用することもできる。
【００２９】
また、本発明では、電子ペーパー１２３として以下に示す種々の方式のものを用いることができる。例えば、ツイスティングボール方式、マイクロカプセル型電気泳動方式、水平移動型電気泳動方式、電気析出溶解方式、光書き込み方式、可逆感熱方式、可逆感光方式、電子粉流体方式などの電子ペーパーを用いることができる。
なお、ツイスティングボール方式は、２枚の透明なプラスチックシート間に２色に塗り分けた帯電ビーズを散りばめ、この帯電ビーズに外部から印加電圧を付与する方式である。また、マイクロカプセル型電気泳動方式は、カプセル中に白黒の２種類の粒子を封入した球状のカプセルを透明の基板で挟み、当該基板に印加電圧を付与する方式である。また、水平移動型電気泳動方式は、帯電黒色粒子（トナー）に印加電圧を付与し、当該帯電黒色粒子を白色電極面ないし黒色電極面に吸着させる方式である。また、電子粉流体方式は、固体と液体の両方の性質を有する電子粉流体を液晶のかわりに用いる方式である。
【００３０】
また、上記実施の形態や種々の変更の形態に鑑み、本発明では以下の態様１〜態様６に記載の構成を採り得る。
【００３１】
（態様１）
本発明では、「請求項１に記載の遊技機であって、
前記表示装置は、前記透過型の表示器の後方に照明手段を備えることを特徴とする遊技機。」という構成（態様１）を採り得る。
【００３２】
この態様１では、請求項１に記載の表示装置の構成において、透過型の表示器の後方に照明手段が設けられるようになっている。照明手段としては、バックライト（冷陰極管）が典型的なものである。その他、ＬＥＤなどのランプ類を照明手段として用いることもできる。ここでいう「透過型の表示器の後方」とは、透過型の表示器と、その後方の電子ペーパー式表示手段との間であってもよいし、あるいは電子ペーパー式表示手段の更に後方であってもよい。
本態様１に記載のこのような構成によれば、照明手段からの光により、透過型の表示器に及び電子ペーパー式表示手段に表示される表示内容をより鮮明なものとすることが可能となる。このような照明手段は、透光性のないあるいは透光性の低い電子ペーパー式表示手段を用いる場合には、透過型の表示器と電子ペーパー式表示手段との間に配置し、透光性の高い電子ペーパー式表示手段を用いる場合には、電子ペーパー式表示手段の後方に配置することができる。
【００３３】
（態様２）
また、本発明では、「請求項１または態様１に記載の遊技機であって、
前記表示装置は、透光性のない前記電子ペーパー式表示手段を用いて構成されることを特徴とする遊技機。」という構成（態様２）を採り得る。
【００３４】
この態様２では、請求項１または態様１に記載の表示装置の構成において、透光性のない電子ペーパー式表示手段が用いられるようになっている。具体的には、透光性のない素材を選定して電子ペーパーを構成することができる。
本態様２に記載のこのような構成によれば、電子ペーパー式表示手段の表示面に入射した光を高い反射率によって反射させて、透過型の表示器及び電子ペーパー式表示手段における表示情報のライトアップ効果を高めることが可能となる。
【００３５】
（態様３）
また、本発明では、「請求項１、態様１、態様２のうちのいずれかに記載の遊技機であって、
前記表示装置は、表示情報のうち変化の少ない表示情報を前記電子ペーパー式表示手段に表示させるように構成されていることを特徴とする遊技機。」という構成（態様３）を採り得る。
【００３６】
この態様３では、請求項１、態様１、態様２のうちのいずれかに記載の表示装置の構成において、電子ペーパー式表示手段が、表示情報のうち変化の少ない表示情報を表示するようになっている。ここでいう「変化の少ない表示情報」とは、大当たりに関与する図柄（特別図柄）やキャラクターのような表示情報に比して変化（動き）の大きくない、あるいは殆ど変化（動き）しないような表示情報であり、具体的には背景図柄などの表示情報がある。
本態様３に記載のこのような構成によれば、本来透過型の表示器において表示する表示情報のうち変化（動き）の少ない表示情報の表示を電子ペーパー表示器１２２に分担させることができ、これにより透過型の表示器側の表示負荷を軽減させることが可能となる。
【００３７】
（態様４）
また、本発明では、「請求項１、態様１〜態様３のうちのいずれかに記載の遊技機であって、
前記表示装置は、電子ペーパー式表示手段の表示面を表示情報の表示状態と白色状態とに切り換え可能に構成されていることを特徴とする遊技機。」という構成（態様４）を採り得る。
【００３８】
この態様４では、請求項１、態様１〜態様３のうちのいずれかに記載の表示装置の構成において、電子ペーパー式表示手段の表示面が表示情報の表示状態と白色状態とに切り換え可能とされている。これにより、通常時は電子ペーパー式表示手段の表示面を白色状態とし当該電子ペーパー式表示手段を反射板として機能させ、表示情報の表示を行うときにのみ表示態様を切り換えて電子ペーパー式表示手段を表示板として機能させることが可能となる。
本態様４に記載のこのような構成によれば、必要なときにのみ電子ペーパー式表示手段を表示状態に設定するという合理的な構成が実現されるとともに、電子ペーパー式表示手段が反射板から表示板へ切り換わったときの意外性によって演出効果を高めることが可能となる。
【００３９】
（態様５）
また、本発明では、「請求項１、態様１〜態様４のうちのいずれかに記載の遊技機であって、
前記透過型の表示器は、透過式の液晶表示器を用いて構成されることを特徴とする遊技機。」という構成（態様５）を採り得る。
【００４０】
この態様５では、請求項１、態様１〜態様４のうちのいずれかに記載の表示装置の構成において、透過型の表示器が透過式の液晶表示器を用いて構成されるようになっている。この透過式の液晶表示器は、光の透過、不透過を電気的にコントロールして表示情報を表示する構成を有する。
本態様５に記載のこのような構成によれば、透過式の液晶表示器を用いて表示装置を構成することが可能となる。
【００４１】
（態様６）
また、本発明では、「請求項１、態様１〜態様４のうちのいずれかに記載の遊技機であって、
前記透過型の表示器は、透過式のＥＬ表示器を用いて構成されることを特徴とする遊技機。」という構成（態様６）を採り得る。
【００４２】
この態様６では、請求項１、態様１〜態様４のうちのいずれかに記載の表示装置の構成において、透過型の表示器が透過式のＥＬ表示器を用いて構成されるようになっている。このＥＬ表示器は、電流を流すことによって発光する材料であるＥＬ（エレクトロスミネッセンス）を用いたものである。
本態様６に記載のこのような構成によれば、透過式のＥＬ表示器を用いて表示装置を構成することが可能となる。また、透過式のＥＬ表示器を用いる場合は、自発光式であるため、液晶表示器において必要なバックライトを省略することができる。
【図面の簡単な説明】
【００４３】
【図１】本発明における一実施の形態のパチンコ機１０１の遊技盤１０３の全体構成を示す図である。
【図２】図１中のＡ−Ａ線断面矢視図であって、表示装置１２０の断面構造を示す図である。
【図３】表示装置１２０の概略構成を示す分解斜視図である。
【図４】パチンコ機１０１の電装システムを示す図である。
【符号の説明】
【００４４】
１０１  パチンコ機
１０３  遊技盤
１０５  遊技領域
１１０  第１種始動口
１１２  開閉部材
１２０  表示装置
１２０ａ  表示ドライバ
１２１  液晶表示器
１２２  電子ペーパー表示器
１２３  電子ペーパー
１２４  描き替えヘッド
１２５  バックライト
【図１】
2005168765.tif 000003
【図２】
2005168765.tif 000004
【図３】
2005168765.tif 000005
【図４】
2005168765.tif 000006